【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
コンピューティング装置と対話する際のユーザの可能性の高い使用法コンテキストを前記コンピューティング装置が判定することであって、前記可能性の高い使用法コンテキストを判定することは、前記コンピューティング装置が前記コンピューティング装置のタッチ画面を介したジェスチャを用いたユーザの対話をサポートするように構成されているときに、コンテンツ消費コンテキストを前記可能性の高い使用法コンテキストとして選択することを備え、前記コンピューティング装置がカーソル制御周辺装置又はキーボードを用いたユーザの対話をサポートするように構成されているときに、生産性使用法コンテキストを前記可能性の高い使用法コンテキストとして選択することを備える、ことと、
前記判定されたユーザの可能性の高い使用法コンテキストに基づいて、前記コンピューティング装置が、ユーザインターフェースの表示領域内でアプリケーションランチャーを動的にサイズ調整することであって、前記アプリケーションランチャーは、ユーザから受け取られた入力に応答して出力されるように構成されている、ことと、
それぞれのアプリケーションに対応するユーザインターフェースにナビゲートするために選択可能な前記アプリケーションの複数の表現を含めることと、
を備える方法。
【請求項２】
前記アプリケーションランチャーが、前記コンピューティング装置のオペレーティングシステムによって管理されるファイル階層のルートレベルにあるホーム画面として構成され、前記ホーム画面が、ユーザによって連続的にスクロール可能である、請求項１に記載の方法。
【請求項３】
前記アプリケーションランチャーが、前記コンピューティング装置の機能の１つまたは複数の表現を含むように構成される、請求項１に記載の方法。
【請求項４】
前記アプリケーションランチャーが、タスクバーの中で前記アプリケーションランチャーの表現を選択することを伴う、前記ユーザから受け取られる入力に応答して出力されるように構成される、請求項１に記載の方法。
【請求項５】
前記アプリケーションランチャーが、前記コンピューティング装置により実行可能なアプリケーションの１つまたは複数のユーザインターフェースの上に重なる層として表示されるように構成され、前記アプリケーションランチャーが、前記１つまたは複数のユーザインターフェースと同時に視認可能である、請求項１に記載の方法。
【請求項６】
前記アプリケーションの前記表現のうち少なくとも１つが、それぞれの前記アプリケーションを起動することなく、前記それぞれの前記アプリケーションに関連付けられた通知を表示するように構成される、請求項１に記載の方法。
【請求項７】
前記アプリケーションランチャーを動的にサイズ調整する前記ステップが、前記複数の表現のサイズを動的にサイズ調整することを含む、請求項１に記載の方法。
【請求項８】
前記判定するステップは、前記コンピューティング装置への周辺装置の取り付け、前記コンピューティング装置に対する周辺装置の物理的配置、３次元空間における前記コンピューティング装置の向きもしくは動き、または、前記ユーザインターフェースを表示するために使用される表示装置の前記表示領域のサイズに基づく、請求項１に記載の方法。
【請求項９】
前記アプリケーションランチャーが、前記コンピューティング装置のオペレーティングシステムの一部として管理される、請求項１に記載の方法。
【請求項１０】
コンピューティング装置であって、
ユーザインターフェースを表示するための利用可能な表示領域を有する表示装置と、
少なくとも部分的にハードウェアとして実装された１つまたは複数のモジュールとを備え、
前記１つまたは複数のモジュールはアプリケーションランチャーを公開するように構成され、
前記アプリケーションランチャーは、
前記コンピューティング装置と対話する際のユーザの可能性の高い使用法コンテキストを判定することであって、前記可能性の高い使用法コンテキストを判定することは、前記コンピューティング装置が前記コンピューティング装置のタッチ画面を介したジェスチャを用いたユーザの対話をサポートするように構成されているときに、コンテンツ消費コンテキストを前記可能性の高い使用法コンテキストとして選択することを備え、前記コンピューティング装置がカーソル制御周辺装置又はキーボードを用いたユーザの対話をサポートするように構成されているときに、生産性使用法コンテキストを前記可能性の高い使用法コンテキストとして選択することを備える、ことと、
前記判定されたユーザの可能性の高い使用法コンテキストに基づいて、ユーザインターフェースの表示領域内でアプリケーションランチャーを動的にサイズ調整することであって、前記アプリケーションランチャーは、前記ユーザインターフェースの表示領域内で横方向及び縦方向の両方で動的にサイズ調整し直すことが可能である、ことと、
を行うように構成されており、
前記アプリケーションランチャーは、それぞれのアプリケーションに対応するユーザインターフェースにナビゲートするために選択可能な前記アプリケーションの複数の表現を含む、コンピューティング装置。
【請求項１１】
前記アプリケーションランチャーが、アプリケーションの前記複数の表現のうち少なくとも１つを追加または削除するためのユーザ入力が受け取られることに応答して、前記１つまたは複数のモジュールにより、自動的にかつユーザが介在せずに、横方向および縦方向の両方で動的にサイズ調整し直すことが可能である、請求項１０に記載のコンピューティング装置。
【請求項１２】
前記ユーザ入力が、ピン留めまたはピン留め解除動作である、請求項１１に記載のコンピューティング装置。
【請求項１３】
前記アプリケーションの前記表現のうち少なくとも１つが、それぞれの前記アプリケーションを起動することなく、前記それぞれの前記アプリケーションに関連付けられた通知を表示するように構成される、請求項１０に記載のコンピューティング装置。
【請求項１４】
ユーザ入力は、動的なサイズ調整の基準として、前記アプリケーションランチャーに含められるべき複数の表現のグループの列又は行の数を指定する、請求項１０に記載のコンピューティング装置。
【請求項１５】
ユーザ入力は、前記アプリケーションランチャーを横方向及び縦方向にサイズ調整するための前記アプリケーションランチャーの境界とのユーザの対話を含むドラッグアンドドロップ操作である、請求項１０に記載のコンピューティング装置。
【請求項１６】
オペレーティングシステムの前記アプリケーションランチャーの動的なサイズ調整は、別のオペレーティングシステムのアプリケーションランチャーとのユーザの対話に部分的に基づいている、請求項１０に記載のコンピューティング装置。
【請求項１７】
前記別のオペレーティングシステムは、前記コンピューティング装置上で実行されているオペレーティングシステムの前回のバージョン、前記コンピューティング装置のユーザの代わりに別のコンピューティング装置で実行されているもの、又は前記コンピューティング装置のユーザに関連する別のコンピューティング装置で実行されているものである、請求項１６に記載のコンピューティング装置。
【請求項１８】
コンピューティング装置であって、
表示装置と、
処理装置と、
前記表示装置上にアプリケーションランチャーを出力するように前記処理装置によって実行可能なオペレーティングシステムを保持するように構成されたメモリと、を備え、
前記オペレーティングシステムは、
前記コンピューティング装置と対話する際のユーザの可能性の高い使用法コンテキストを判定することであって、前記可能性の高い使用法コンテキストを判定することは、前記コンピューティング装置が前記コンピューティング装置のタッチ画面を介したジェスチャを用いたユーザの対話をサポートするように構成されているときに、コンテンツ消費コンテキストを前記可能性の高い使用法コンテキストとして選択することを備え、前記コンピューティング装置がカーソル制御周辺装置又はキーボードを用いたユーザの対話をサポートするように構成されているときに、生産性使用法コンテキストを前記可能性の高い使用法コンテキストとして選択することを備える、ことと、
前記コンピューティング装置と対話する際のユーザの可能性の高い使用法コンテキストを判定することに応答して、前記アプリケーションランチャーの前記コンテンツ消費コンテキストと前記アプリケーションランチャーの前記生産性使用法コンテキストとの間の切り替えを生じさせることと、
前記判定された可能性の高い使用法コンテキストに基づいて、前記コンピューティング装置によってユーザインターフェースの表示領域内でアプリケーションランチャーを動的にサイズ調整することと、
を行うように構成されている、コンピューティング装置。
【請求項１９】
前記判定することは、前記コンピューティング装置への周辺装置の取り付け、前記コンピューティング装置に対する周辺装置の物理的配置、３次元空間における前記コンピューティング装置の向き又は動き、又は、ユーザインターフェースを表示するために使用される前記表示装置の表示領域のサイズに基づく、請求項１８に記載のコンピューティング装置。